Podtech/llm-jp-corpus-v4-ja_patent huggingface dataset:
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
セキュア・プロセッサ・ベースのクラウド・コンピューティング環境において情報を保護するための方法であって、
前記セキュア・プロセッサ・ベースのクラウド・コンピューティング環境内にセキュア・エンクレーブをインスタンス化することと、
前記クラウド・コンピューティング環境内である権限レベルで実行する１つまたは複数のプロセスから制御プレーンが保護されるように、前記セキュア・エンクレーブ内で、ソフトウェア定義機能の制御プレーンをホストすることであって、前記制御プレーンが、前記セキュア・エンクレーブの外部に配置された、関連するデータ・プレーンを有する、前記ホストすることと、
前記セキュア・エンクレーブ内の前記制御プレーンと、前記セキュア・エンクレーブの外部に配置された前記データ・プレーンとの間に接続性を提供することと、
前記セキュア・エンクレーブ内から前記ソフトウェア定義機能の前記制御プレーンを実行することと
を含む、方法。
【請求項２】
前記ある権限レベルは、通常の権限レベルよりも高い権限レベルである、請求項１に記載の方法。
【請求項３】
前記セキュア・エンクレーブが、仮想マシンおよびコンテナのうちの１つの中でインスタンス化される、請求項１または２に記載の方法。
【請求項４】
前記ソフトウェア定義機能が、前記セキュア・エンクレーブ内の仮想マシンまたはコンテナとしてインスタンス化される、請求項１ないし３のいずれかに記載の方法。
【請求項５】
前記ソフトウェア定義機能が、ネットワーク機能、ストレージ機能、電力機能、ならびに、仮想マシンおよびコンテナのオーケストレーション機能のうちの１つの仮想機能である、請求項１ないし４のいずれかに記載の方法。
【請求項６】
前記ネットワーク機能が、ルータ、スイッチ、ファイアウォール、およびロード・バランサのうちの１つである、請求項５に記載の方法。
【請求項７】
前記ソフトウェア定義機能の前記制御プレーンのロード時における前記セキュア・エンクレーブの整合性を検証することをさらに含む、請求項１ないし６のいずれかに記載の方法。
【請求項８】
外部化されたアプリケーション・プログラミング・インタフェース（ＡＰＩ）を介して接続性が提供される、請求項１ないし７のいずれかに記載の方法。
【請求項９】
前記ソフトウェア定義機能の前記制御プレーンによって生成された制御データが、前記ＡＰＩを介して前記データ・プレーンに渡され、ソフトウェア定義ネットワーク（ＳＤＮ）内の安全なネットワーク機能仮想化（ＮＦＶ）を促進する、ルーティング・テーブルを含む、請求項８に記載の方法。
【請求項１０】
セキュア・プロセッサ・ベースのクラウド・コンピューティング環境において情報を保護するための装置であって、
１つまたは複数のハードウェア・プロセッサと、
前記ハードウェア・プロセッサによって実行されるコンピュータ・プログラム命令を保持するコンピュータ・メモリと
を含み、前記コンピュータ・プログラム命令が、
前記セキュア・プロセッサ・ベースのクラウド・コンピューティング環境内にセキュア・エンクレーブをインスタンス化することと、
前記クラウド・コンピューティング環境内である権限レベルで実行するプロセスから制御プレーンが保護されるように、前記セキュア・エンクレーブ内でソフトウェア定義機能の制御プレーンをホストすることであって、前記制御プレーンが、前記セキュア・エンクレーブの外部に配置された、関連するデータ・プレーンを有する、前記ホストすることと、
前記セキュア・エンクレーブ内の前記制御プレーンと、前記セキュア・エンクレーブの外部に配置された前記データ・プレーンとの間に接続性を提供することと、
前記セキュア・エンクレーブ内から前記ソフトウェア定義機能の前記制御プレーンを実行することと
を行うように構成される、装置。
【請求項１１】
前記ある権限レベルは、通常の権限レベルよりも高い権限レベルである、請求項１０に記載の装置。
【請求項１２】
前記セキュア・エンクレーブが、仮想マシンおよびコンテナのうちの１つの中でインスタンス化される、請求項１０または１１に記載の装置。
【請求項１３】
前記ソフトウェア定義機能が、前記セキュア・エンクレーブ内の仮想マシンまたはコンテナとしてインスタンス化される、請求項１０ないし１２のいずれかに記載の装置。
【請求項１４】
前記ソフトウェア定義機能が、ネットワーク機能、ストレージ機能、電力機能、ならびに、仮想マシンおよびコンテナのオーケストレーション機能のうちの１つの仮想機能である、請求項１０ないし１３のいずれかに記載の装置。
【請求項１５】
前記ネットワーク機能が、ルータ、スイッチ、ファイアウォール、およびロード・バランサのうちの１つである、請求項１４に記載の装置。
【請求項１６】
前記コンピュータ・プログラム命令が、前記ソフトウェア定義機能の前記制御プレーンのロード時における前記セキュア・エンクレーブの整合性を検証するように、さらに構成される、請求項１０ないし１５のいずれかに記載の装置。
【請求項１７】
接続性を提供するように構成された前記コンピュータ・プログラム命令が、１つまたは複数の外部化されたアプリケーション・プログラミング・インタフェース（ＡＰＩ）である、請求項１０ないし１６のいずれかに記載の装置。
【請求項１８】
前記ソフトウェア定義機能の前記制御プレーンによって生成された制御データが、前記ＡＰＩを介して前記データ・プレーンに渡され、ソフトウェア定義ネットワーク（ＳＤＮ）内の安全なネットワーク機能仮想化（ＮＦＶ）を促進する、ルーティング・テーブルを含む、請求項１７に記載の装置。
【請求項１９】
セキュア・プロセッサ・ベースのクラウド・コンピューティング環境内で情報を保護するために、データ処理システムで実行されるコンピュータ・プログラムであって、
前記データ処理システムに、
請求項１ないし９のいずれかに記載の方法の各ステップを実行させる、コンピュータ・プログラム。
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
タッチスクリーンシステムであって、
誘電率と表面を有する第１の材料から形成されたタッチスクリーンカバー層と、
前記タッチスクリーンカバー層に結合され又は前記タッチスクリーンカバー層内に形成され、指に触覚フィードバックを提供する非平面的な表面テクスチャを画定する、触覚構造体であって、前記触覚構造体はタッチスクリーンカバー層の前記第１の材料とは異なる誘電率を有する少なくとも１つの第２の材料から形成され、前記タッチスクリーンカバー層の前記表面と前記非平面的な表面テクスチャはタッチ可能な外表面である、触覚構造体と、を備える、タッチスクリーンシステム。
【請求項２】
前記タッチスクリーンカバー層の下に配置されており、前記触覚構造体上のタッチ、及び前記タッチスクリーンカバー層の他の領域上のタッチを検出するように構成されている、静電容量センサを更に備える、請求項１に記載のタッチスクリーンシステム。
【請求項３】
前記タッチスクリーンカバー層の下にあり、かつ前記触覚構造体に対応する場所において仮想ユーザインターフェース要素を含むグラフィカルユーザインターフェースを表示するように構成されている、タッチスクリーン表示要素を更に備える、請求項１に記載のタッチスクリーンシステム。
【請求項４】
前記タッチスクリーンカバー層の下にあり、かつ前記触覚構造体に対応する場所において仮想ウィジェットを含むグラフィカルユーザインターフェースを表示するように構成されている、タッチスクリーン表示要素を更に備える、請求項１に記載のタッチスクリーンシステム。
【請求項５】
前記触覚構造体は、前記タッチスクリーンカバー層の前記第１の材料よりも高い誘電率を有する少なくとも１つの第２の材料から形成されている、請求項１に記載のタッチスクリーンシステム。
【請求項６】
前記触覚構造体は、前記タッチスクリーンカバー層の前記第１の材料よりも低い誘電率を有する少なくとも１つの第２の材料から形成されている、請求項１に記載のタッチスクリーンシステム。
【請求項７】
前記触覚構造体は、異なる誘電率を有する２つの異なる材料から形成されている、請求項１に記載のタッチスクリーンシステム。
【請求項８】
前記触覚構造体は、リッジ又は凹みを画定する、請求項１に記載のタッチスクリーンシステム。
【請求項９】
請求項１〜８のいずれか一項に記載のタッチスクリーンシステムを有するユーザインターフェースシステムであって、
前記タッチスクリーンカバー層の下にあり、かつ前記触覚構造体に対応する場所において仮想ユーザインターフェース要素を含むグラフィカルユーザインターフェース（ＧＵＩ）を表示するように構成されている、タッチスクリーン表示要素と、
前記仮想ユーザインターフェース要素の場所におけるタッチを識別することと、前記仮想ユーザインターフェース要素を識別することと、前記仮想ユーザインターフェース要素と関連付けられたアクションを開始することと、を行うように構成されている、プロセッサと、を備える、ユーザインターフェースシステム。
【請求項１０】
前記プロセッサは、マイクロコントローラ内に提供される、請求項９に記載のユーザインタフェースシステム。
【請求項１１】
請求項１〜１０に記載のシステムのいずれかによって実行される動作を含む、方法。
【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
関節接合部の周囲の領域を負圧で処置するためのドレッシングにおいて、
処置孔を有する取付デバイスと、
ステム、前記ステムに接合した第１のアーム、及び前記ステムに接合した第２のアームを含むマニホールドにおいて、前記マニホールドは前記処置孔を通して少なくとも一部が露出される、マニホールドと、
前記マニホールドより上に配置され、前記マニホールドの周囲の前記取付デバイスに結合されたカバーと、
前記関節接合部の周囲の前記領域に接合するように構成された前記取付デバイス上の接着剤とを含むことを特徴とするドレッシング。
【請求項２】
請求項１に記載のドレッシングにおいて、前記第１のアームは第２のアームより大きいスパンを有することを特徴とするドレッシング。
【請求項３】
請求項１に記載のドレッシングにおいて、
前記第１のアームは第１のスパンを有し、
前記第２のアームは第２のスパンを有し、
前記第１のスパンの前記第２のスパンに対する割合は、１．２〜３．４の範囲であることを特徴とするドレッシング。
【請求項４】
請求項１に記載のドレッシングにおいて、前記第１のアーム及び前記第２のアームは、前記ステムから離れて広がることを特徴とするドレッシング。
【請求項５】
請求項１に記載のドレッシングにおいて、前記第１のアーム及び前記第２のアームは、被覆縁部を含むことを特徴とするドレッシング。
【請求項６】
請求項１に記載のドレッシングにおいて、前記ステム、前記第１のアーム、及び前記第２のアームは、両凹面縁部を画定することを特徴とするドレッシング。
【請求項７】
請求項１に記載のドレッシングにおいて、前記マニホールドは、両凹面である面を含むことを特徴とするドレッシング。
【請求項８】
請求項１に記載のドレッシングにおいて、
前記マニホールドは前記ステムを通る対称軸を有し、
前記第１のアーム及び前記第２のアームは、前記ステムの各側面に隣接した隙間を画定することを特徴とするドレッシング。
【請求項９】
請求項１に記載のドレッシングにおいて、
前記マニホールドは、前記第１のアーム及び前記第２のアームを結び付ける縁部を有し、
前記第１のアーム及び前記第２のアームを結び付ける前記縁部の一部は、前記ステムの各側面に隣接した凹状隙間を画定するために前記ステムに向かって集結することを特徴とするドレッシング。
【請求項１０】
請求項１に記載のドレッシングにおいて、前記ステムは可撓性切欠きを含むことを特徴とするドレッシング。
【請求項１１】
請求項１に記載のドレッシングにおいて、前記第１のアーム及び前記第２のアームは可撓性切欠きを含むことを特徴とするドレッシング。
【請求項１２】
請求項１に記載のドレッシングにおいて、前記カバーを通って前記第１のアームに流体結合するドレッシング界面を更に含むことを特徴とするドレッシング。
【請求項１３】
請求項１に記載のドレッシングにおいて、前記マニホールドに結合した快適層を更に含み、前記快適層は前記処置孔を通して少なくとも一部が露出されることを特徴とするドレッシング。
【請求項１４】
請求項１に記載のドレッシングにおいて、
前記第１のアーム及び前記第２のアームは第１の発泡体を含み、
前記ステムは第２の発泡体を含み、
前記第１の発泡体は、前記第２の発泡体と異なる密度を有することを特徴とするドレッシング。
【請求項１５】
請求項１に記載のドレッシングにおいて、前記ステムは、前記第１のアーム及び前記第２のアームの少なくとも１つから流体隔絶されることを特徴とするドレッシング。
【請求項１６】
組織の領域を負圧で処置するためのドレッシングにおいて、
処置孔を有する密封リングと、
前記密封リングに結合した外周を有するカバーと、
前記密封リングと前記カバーとの間に配置され、前記処置孔を通して少なくとも一部が露出されたマニホールドとを含み、
前記マニホールドは、
手足の関節表面より上に配置するように構成された第１の部分と、
前記手足の近位部を中心に少なくとも一部を包むように構成された第２の部分と、
前記手足の遠位部を中心に少なくとも一部を包むように構成された第３の部分とを含むことを特徴とするドレッシング。
【請求項１７】
請求項１６に記載のドレッシングにおいて、前記第２の部分及び前記第３の部分は、前記第１の部分から離れて広がることを特徴とするドレッシング。
【請求項１８】
請求項１６に記載のドレッシングにおいて、前記第２の部分及び前記第３の部分は、集結する縁部を含むことを特徴とするドレッシング。
【請求項１９】
請求項１６に記載のドレッシングにおいて、前記第１の部分、前記第２の部分、及び前記第３の部分は、両凹面縁部を画定することを特徴とするドレッシング。
【請求項２０】
関節接合部上に切開部を備えた領域を処置するためのドレッシングにおいて、
処置孔を有する取付デバイスと、
前記切開部を覆うように構成された第１の部分、及び前記関節接合部の周囲の前記領域を覆うように構成された第２の部分を有するマニホールドと、
前記マニホールドより上に配置され、前記マニホールドの周囲の前記取付デバイスに結合されたカバーとを含み、
前記マニホールドは、前記処置孔を通して少なくとも一部が露出されることを特徴とするドレッシング。
【請求項２１】
請求項２０に記載のドレッシングにおいて、前記マニホールドは、両凹面を有する一般的な円筒であることを特徴とするドレッシング。
【請求項２２】
請求項２１に記載のドレッシングにおいて、前記両凹面は、起伏のある先端を有することを特徴とするドレッシング。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
メカニカルファスナーのための前駆体のウェブであって、前記ウェブは、少なくとも１つのバッキング層と、前記バッキング層上に配置され、前記バッキング層と一体に配置されたメカニカルファスナーのための複数の直立前駆体と、を備え、前記複数の前駆体のそれぞれの前駆体は、遠位端と、前記前駆体が前記バッキング層に接続される近位端と、を有し、前記前駆体の前記近位端における底部幅が、前記前駆体の高さよりも大きく、前記前駆体は、前記前駆体の遠位端に向かって一定の幅を有するか、又は前記前駆体の遠位端に向かって先細りになる幅を有し、前記バッキング層は、約１０μｍ〜約７５μｍの厚さを有する、ウェブ。
【請求項２】
前記バッキング層及び前記前駆体は、同じ熱可塑性材料を含む、請求項１に記載のウェブ。
【請求項３】
少なくとも１つのバッキング層と、前記バッキング層上に配置され、前記バッキング層と一体に配置された複数の直立メカニカルファスナーと、を備えたメカニカルファスナーのウェブであって、前記複数のメカニカルファスナーのそれぞれは、（ｉ）前記ファスナーの遠位端を含むヘッド部分と、（ｉｉ）前記ファスナーの前記ヘッド部分を前記バッキング層と連結させ、前記ファスナーを前記バッキング層と連結させる近位端を含むステム部分と、を有し、前記ステム部分は先細りとなり、前記ヘッド部分の幅は、前記ヘッド部分がオーバーハングを形成するように、前記ヘッド部分のすぐ下の前記ステムの幅よりも大きく、前記ヘッド部分の前記幅は、前記近位端における前記ファスナーの底部幅以下であり、前記底部幅は前記ファスナーの高さよりも大きく、前記バッキング層の厚さは約１０μｍ〜最大約７５μｍである、メカニカルファスナーのウェブ。
【請求項４】
前記ヘッド部分は、前記ステムの両側にオーバーハングを形成する、請求項３に記載のウェブ。
【請求項５】
請求項１に記載のウェブを準備することと、
前記ファスナーを形成するように前記前駆体を成形することによって、請求項３に記載のウェブを作製することと、
を含む、請求項３に記載のウェブの製造方法。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
コンピューティング装置によって行われる方法であって、
（ａ）被検体の眼底映像を獲得することと、
（ｂ）機械学習モデル（ｍａｃｈｉｎｅ  ｌｅａｒｎｉｎｇ  ｍｏｄｅｌ）に基づいて前記眼底映像から区画区分情報を含む属性情報を生成することと、
（ｃ）前記属性情報を外部エンティティ（ｅｎｔｉｔｙ）に提供することと、を含み、
前記区画区分情報は、前記眼底映像内の眼底の構造的特性に応じた個別区画を示すために用いられる、方法。
【請求項２】
前記区画区分情報は、前記眼底映像内の眼底の構造的特性に応じた少なくとも３つの個別区画を示すために用いられる、請求項１に記載の方法。
【請求項３】
前記眼底の前記個別区画は、少なくとも黄斑領域、視神経乳頭上側領域、視神経乳頭下側領域、外側（ｔｅｍｐｏｒａｌ）領域、上外側（ｓｕｐｅｒｏｔｅｍｐｏｒａｌ）領域、下外側（ｉｎｆｅｒｏｔｅｍｐｏｒａｌ）領域、上鼻側（ｓｕｐｅｒｏｎａｓａｌ）領域、及び下鼻側（ｉｎｆｅｒｏｎａｓａｌ）領域を含む、請求項１又は２に記載の方法。
【請求項４】
前記区画区分情報は、前記機械学習モデルを用いて前記眼底映像から特定された（ｉ）黄斑の中心領域、及び（ｉｉ）視神経乳頭の中心領域に基づいて、前記眼底映像から生成される、請求項１〜３のいずれか１項に記載の方法。
【請求項５】
前記区画区分情報は、
前記黄斑の中心位置と前記視神経乳頭の中心位置との距離の長さｄ以下の半径を有する黄斑の中心円、
前記ｄ以下の半径を有する視神経乳頭の中心円、
前記黄斑の中心位置と前記視神経乳頭の中心位置とを通る第１直線の少なくとも一部、
前記第１直線に垂直に視神経乳頭の中心位置を通る第２直線の少なくとも一部、及び、
前記第１直線に平行で且つ前記黄斑の中心円に接する第３直線の少なくとも一部
のいずれかの組み合わせに基づいて、前記眼底映像から生成される、請求項１〜４のいずれか１項に記載の方法。
【請求項６】
前記属性情報はさらに、
前記眼底映像が左眼の映像であるのか右眼の映像であるのかを示す両眼区分情報、
前記眼底映像に含まれた黄斑及び視神経乳頭のうち少なくとも一つの位置を示す位置情報、
前記眼底映像に含まれた視神経血管の映像を分離して示す血管情報、及び、
前記眼底映像によるＣ／Ｄ比（ｃｕｐ−ｔｏ−ｄｉｓｋ  ｒａｔｉｏ）の情報
のうちの少なくとも一つを含む、請求項１〜５のいずれか１項に記載の方法。
【請求項７】
前記生成された情報に基づいて前記外部エンティティに前記属性情報を提供することをさらに含む、請求項１〜６のいずれか１項に記載の方法。
【請求項８】
請求項１〜７のいずれか１項に記載の方法をコンピューティング装置に行わせるように構成された命令語（ｉｎｓｔｒｕｃｔｉｏｎｓ）を含む、機械読取可能な記録媒体に記録された、コンピュータプログラム。
【請求項９】
機械学習モデルに基づいた処理に使用するためのコンピューティング装置であって、
通信部と、
前記通信部を制御するように構成されたプロセッサと、を含み、
前記プロセッサは、
（ａ）被検体の眼底映像を得る、
（ｂ）機械学習モデルに基づいて前記眼底映像から区画区分情報を含む属性情報を生成する、及び、
（ｃ）前記属性情報を外部エンティティに提供する、ようにさらに構成され、
前記区画区分情報は、前記眼底映像内の眼底の構造的特性に応じた個別区画を示すために用いられる、コンピューティング装置。
【請求項１０】
前記区画区分情報は、前記眼底映像内の眼底の構造的特性に応じた少なくとも３つの個別区画を示すために用いられる、請求項９に記載のコンピューティング装置。
【請求項１１】
前記眼底の前記個別区画は、少なくとも黄斑領域、視神経乳頭上側領域、視神経乳頭下側領域、外側（ｔｅｍｐｏｒａｌ）領域、上外側（ｓｕｐｅｒｏｔｅｍｐｏｒａｌ）領域、下外側（ｉｎｆｅｒｏｔｅｍｐｏｒａｌ）領域、上鼻側（ｓｕｐｅｒｏｎａｓａｌ）領域、及び下鼻側（ｉｎｆｅｒｏｎａｓａｌ）領域を含む、請求項９又は１０に記載のコンピューティング装置。
【請求項１２】
前記区画区分情報は、前記機械学習モデルを用いて前記眼底映像から特定された（ｉ）黄斑の中心領域、及び（ｉｉ）視神経乳頭の中心領域に基づいて、前記眼底映像から生成される、請求項９〜１１のいずれか１項に記載のコンピューティング装置。
【請求項１３】
前記区画区分情報は、
前記黄斑の中心位置と前記視神経乳頭の中心位置との距離の長さｄ以下の半径を有する黄斑の中心円、
前記ｄ以下の半径を有する視神経乳頭の中心円、
前記黄斑の中心位置と前記視神経乳頭の中心位置とを通る第１直線の少なくとも一部、
前記第１直線に垂直に視神経乳頭の中心位置を通る第２直線の少なくとも一部、及び、
前記第１直線に平行で且つ前記黄斑の中心円に接する第３直線の少なくとも一部
のいずれかの組み合わせに基づいて、前記眼底映像から生成される、請求項９〜１２のいずれか１項に記載のコンピューティング装置。
【請求項１４】
前記属性情報はさらに、
前記眼底映像が左眼の映像であるのか右眼の映像であるのかを示す両眼区分情報、
前記眼底映像に含まれた黄斑及び視神経乳頭のうち少なくとも一つの位置を示す位置情報、
前記眼底映像に含まれた視神経血管の映像を分離して示す血管情報、及び、
前記眼底映像によるＣ／Ｄ比（ｃｕｐ−ｔｏ−ｄｉｓｋ  ｒａｔｉｏ）の情報
のうちの少なくとも一つを含む、請求項９〜１３のいずれか１項に記載のコンピューティング装置。
【請求項１５】
前記プロセッサは、前記生成された情報に基づいて前記外部エンティティに前記属性情報を提供するようにさらに構成されている、請求項９〜１４のいずれか１項に記載のコンピューティング装置。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
創傷包帯において、
複数の穿孔を定義する壁を有する接触層と、
ポリマーと、少なくとも１つの創傷清拭剤と、を有する創傷清拭マトリックスであって、前記接触層に動作自在に結合された創傷清拭マトリックスと、
を有することを特徴とする包帯。
【請求項２】
請求項１に記載の創傷包帯において、前記創傷清拭マトリックスは、前記接触層の表面の少なくとも一部分上の被覆であることを特徴とする創傷包帯。
【請求項３】
請求項１又は２に記載の創傷包帯において、前記創傷清拭マトリックスは、前記接触層の実質的に表面全体上の被覆であることを特徴とする創傷包帯。
【請求項４】
請求項１乃至３の何れか一項に記載の創傷包帯において、前記複数の穿孔の少なくとも一部分は、前記創傷清拭マトリックスによってカバーされてはいないことを特徴とする創傷包帯。
【請求項５】
請求項１乃至４の何れか一項に記載の創傷包帯において、前記創傷清拭マトリックスは、前記複数の穿孔の少なくとも一部分において存在していることを特徴とする創傷包帯。
【請求項６】
請求項１乃至５の何れか一項に記載の創傷包帯において、前記創傷清拭マトリックスは、前記接触層から少なくとも部分的に除去可能であることを特徴とする創傷包帯。
【請求項７】
請求項１乃至６の何れか一項に記載の創傷包帯において、前記創傷清拭マトリックスは、約２．０〜約１０のｐＨを有することを特徴とする創傷包帯。
【請求項８】
請求項１乃至７の何れか一項に記載の創傷包帯において、前記創傷清拭マトリックスは、薄膜の形態を有することを特徴とする創傷包帯。
【請求項９】
請求項１乃至８の何れか一項に記載の創傷包帯において、前記創傷清拭マトリックスの少なくとも約１０％は、約２〜約１０のｐＨを有する水性溶液中において溶解可能であることを特徴とする創傷包帯。
【請求項１０】
請求項１乃至９の何れか一項に記載の創傷包帯において、前記創傷清拭マトリックスは、約１．０ｍｍ〜約１０ｍｍの厚さを有することを特徴とする創傷包帯。
【請求項１１】
請求項１乃至１０の何れか一項に記載の創傷包帯において、前記創傷清拭マトリックスは、穿孔を有することを特徴とする創傷包帯。
【請求項１２】
請求項１乃至１１の何れか一項に記載の創傷包帯において、前記創傷清拭剤は、約２〜１２のｐＨにおいて活性を有することを特徴とする創傷包帯。
【請求項１３】
請求項１乃至１２の何れか一項に記載の創傷包帯において、前記創傷清拭剤は、約０．２５ＵＳＰ単位〜約１０００ＵＳＰ単位において前記創傷清拭マトリックス中に存在していることを特徴とする創傷包帯。
【請求項１４】
請求項１乃至１３の何れか一項に記載の創傷包帯において、前記創傷清拭剤は、パパイン、尿素、ストレプトキナーゼ、ストレプトドルナーゼ、トリプシン、コラゲナーゼ、フィブリノリジン、デオキシリボヌクレアーゼを有するフィブリノリジン、ブロメライン、及びこれらの組合せから構成された群から選択されることを特徴とする創傷包帯。
【請求項１５】
請求項１乃至１４の何れか一項に記載の創傷包帯において、前記ポリマーは、多糖類、たんぱく質、野菜ガム、又はこれらの組合せであることを特徴とする創傷包帯。
【請求項１６】
請求項１乃至１５の何れか一項に記載の創傷包帯において、前記創傷清拭マトリックスは、乾燥剤及び／又は増粘剤を更に有することを特徴とする創傷包帯。
【請求項１７】
請求項１６に記載の創傷包帯において、前記乾燥剤は、シリカゲル、ケイ酸マグネシウムアルミニウム、酸化カルシウム、硫酸カルシウム、スルホン酸塩、及びこれらの組合せから構成された群から選択されることを特徴とする創傷包帯。
【請求項１８】
請求項１６に記載の創傷包帯において、前記増粘剤は、グリセロール、グリセリン、カルボマー、ポリエチレングリコール、及びこれらの組合せから構成された群から選択されることを特徴とする創傷包帯。
【請求項１９】
請求項１乃至１８の何れか一項に記載の創傷包帯において、前記創傷清拭マトリックスは、酸化した再生セルロール（ＯＲＣ）を更に有することを特徴とする創傷包帯。
【請求項２０】
請求項１乃至１９の何れか一項に記載の創傷包帯において、前記複数の穿孔は、約５ｍｍ〜約２０ｍｍの平均直径を有することを特徴とする創傷包帯。
【請求項２１】
請求項１乃至２０の何れか一項に記載の創傷包帯において、複数の穿孔は、アレイ内において存在していることを特徴とする創傷包帯。
【請求項２２】
請求項１乃至２１の何れか一項に記載の創傷包帯において、前記穿孔の少なくとも一部分は、前記接触層の厚さ未満の深さを有することを特徴とする創傷包帯。
【請求項２３】
請求項１乃至２２の何れか一項に記載の創傷包帯と、
前記接触層及び前記組織部位上において封止された環境を形成するよう適合されたカバーと、
を有することを特徴とする組織部位を創傷清拭するシステム。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
第１の溶液を含む第１の部分および第２の溶液を含む第２の部分の２つの部分を含み、
第１の溶液が、１種以上のプレポリマー、非水性溶媒、重合共開始剤または開始剤ならびに任意に１種以上の鎖延長剤および添加剤を含み、
第２の溶液が、重合開始剤または共開始剤、非水性溶媒ならびに任意に１種以上の鎖延長剤および添加剤を含む、組成物。
【請求項２】
プレポリマーが、アクリレート、メタクリレートまたはビニル官能基から選択される少なくとも２つの官能基を有する化合物を含む、請求項１に記載の組成物。
【請求項３】
プレポリマーが、エトキシル化（３）ビスフェノールＡジアクリレート、エトキシル化（３０）ビスフェノールＡジアクリレート（ＥＢＰＡＤＡ）、エトキシル化（９）トリメチロールプロパントリアクリレート、エトキシル化（１５）トリメチロールプロパントリアクリレート、エトキシル化（２０）トリメチロールプロパントリアクリレート（ＰＥＧ−Ｔ）、プロポキシル化（３）トリメチロールプロパントリアクリレート（ＰＴＭＰＴＡ）、ペンタエリトリトールトリアクリレート、エトキシル化（４）ペンタエリトリトールテトラアクリレート、ペンタエリトリトールテトラアクリレート、およびこれらのメタクリル変異体、アジピン酸ジビニル、１，４−ジブタンジオールジビニルエーテル、ジおよびトリエチレングリコールジビニルエーテル、アリルエーテル、マレイン酸ジアリル、トリメチルプロパンジアリルエーテル、ならびにこれらの組合せからなる群から選択される、請求項２に記載の組成物。
【請求項４】
非水性溶媒が、アルコール、アルデヒド、アミド、カーボネート、エーテル、エステル、グリコール、グリコールエーテル、グリコールエステル、炭化水素、ケトン、スルホキシド、および植物油からなる群から選択される脂肪族および芳香族溶媒を含む、請求項１に記載の組成物。
【請求項５】
非水性溶媒が、メタノール、グリセリン、エチレングリコール、プロピレングリコール、ブチレングリコール、ジプロピレングリコール、ジエチレングリコール、トリプロピレングリコール、ポリエチレングリコール、エチルエーテル、トリプロピレングリコールメチルエーテル、ジ（プロピレングリコール）ブチルエーテル、プロピレンカーボネート、ブチレンカーボネート、ベンゼン、トルエン、キシレン、メチルエチルケトン、ヒマシ油、アマニ油、ゴマ油、ダイズ油、オリーブ油、およびこれらの組合せからなる群から選択される、請求項４に記載の組成物。
【請求項６】
鎖延長剤が、アクリレート、メタクリレートまたはビニル官能基を有する単官能性または二官能性の化合物を含む、請求項１に記載の組成物。
【請求項７】
鎖延長剤が、ポリエチレングリコールモノアクリレート（ＰＥＧＭＡ）、ポリプロピレングリコールモノアクリレート（ＰＰＧＭＡ）、ポリエチレングリコールジアクリレート（ＰＥＧＤＡ）、ポリプロピレングリコールジアクリレート（ＰＰＧＤＡ）、ジプロピレングリコールジアクリレート（ＤＰＧＤＡ）、テトラエチレングリコールジアクリレート（ＴＥＧＤＡ）、トリプロピレングリコールジアクリレート（ＴＰＧＤＡ）、ポリエチレングリコールモノメタクリレート（ＰＥＧＭＭＡ）、ポリプロピレングリコールモノメタクリレート（ＰＰＧＭＭＡ）、ポリエチレングリコールメチルエーテルメタクリレート（ＰＥＧＭＥＭＡ）、ポリエチレングリコールジメタクリレート（ＰＥＧＤＭＡ）、ポリプロピレングリコールジメタクリレート（ＰＰＧＤＭＡ）、およびこれらの組合せからなる群から選択される、請求項６に記載の組成物。
【請求項８】
重合開始剤が、過酸化物およびヒドロペルオキシドを含む、請求項１に記載の組成物。
【請求項９】
重合開始剤が、過酸化ベンゾイル（ＢＰＯ）、クメンヒドロペルオキシド（ＣＨＰ）、過酸化ジクミル（ＣＰＯ）、過酸化ラウリル、ｔｅｒｔ−アミルヒドロペルオキシド（ｔ−ＡＨＰ）、ｔｅｒｔ−ブチルヒドロペルオキシド（ｔ−ＢＨＰ）、過酸化ジ−ｔｅｒｔ−ブチル（ＤＴＢＰ）、トリブチルヒドロペルオキシド（ＴＢＰＨ）、テトラ−メチルブチルヒドロペルオキシド（ＭＢＨＰ）、およびこれらの組合せからなる群から選択される、請求項８に記載の組成物。
【請求項１０】
重合共開始剤が、トリエタノールアミン（ＴＥＡ）、１−（２−ピリジル）−２−チオ尿素（ＰＴＵ）、１−アセチル−２−チオ尿素（ＡＴＵ）、Ｎ，Ｎ−ジヒドロキシエチル−ｐ−トルイジン（ＤＨＥＰＴ）、４−（ジ−メチルアミノ）フェネチルアルコール（ＤＭＡＰＥ）、４−（ジメチルアミノ）安息香酸エチル（ＥＤＭＡＢ）、２−［４−（ジメチルアミノ）フェニル］エタノール、Ｎ，Ｎ−ジメチル−ｐ−トルイジン（ＤＭＰＴ）、ビス（ヒドロキシエチル）−ｐ−トルイジン、およびこれらの組合せからなる群から選択される、請求項１に記載の組成物。
【請求項１１】
第１および第２の溶液のいずれか一方または両方が共溶媒をさらに含む、請求項１に記載の組成物。
【請求項１２】
共溶媒が、ノナノール、ジメチルスルホキシド、ブチレンカーボネート、ジエチレングリコールエチルエーテル、ジプロピレングリコールメチルエーテル、ジプロピレングリコールブチルエーテル、トリプロピレングリコールメチルエーテルおよびトリプロピレングリコールブチルエーテル、ならびにこれらの組合せからなる群から選択される、請求項１１に記載の組成物。
【請求項１３】
１種以上の添加剤をさらに含む、請求項１に記載の組成物。
【請求項１４】
１種以上の添加剤が、充填剤、造影剤、加工助剤、可塑剤、および粘度降下剤からなる群から選択される、請求項１３に記載の組成物。
【請求項１５】
請求項１に記載の組成物を含むオルガノゲル。
【請求項１６】
組成物が、約１ＭＰａ〜約１８ＭＰａの圧縮弾性率を示す、請求項１５に記載のオルガノゲル組成物。
【請求項１７】
組成物が、約１分〜約２０分のゲル化時間を示す、請求項１５に記載のオルガノゲル組成物。
【請求項１８】
オルガノゲルを形成する方法であって、
第１の溶液および第２の溶液を含む第２の部分を含む組成物をオルガノゲルの形成が意図される部位に送達することと、
第１の溶液を第２の溶液と接触させることと、
プレポリマーの重合を開始させてオルガノゲルを形成することと
を含み、
第１の溶液が、１種以上のプレポリマー、非水性溶媒、重合共開始剤または開始剤ならびに任意に１種以上の鎖延長剤および添加剤を含み、
第２の溶液が、重合開始剤または共開始剤、非水性溶媒ならびに任意に１種以上の鎖延長剤および添加剤を含む、方法。
【請求項１９】
１種以上の添加剤が、充填剤、造影剤、加工助剤、可塑剤、および粘度降下剤からなる群から選択される、請求項１８に記載の方法。
【請求項２０】
請求項１に記載の組成物で充填された充填構造体を含む、動脈瘤を処置するためのシステム。
【手続補正書】
【提出日】令和2年4月28日(2020.4.28)
【手続補正１】
【補正対象書類名】明細書
【補正対象項目名】０００３
【補正方法】変更
【補正の内容】
【０００３】
アンカフリータフティングを有するブラシヘッドを製造する幾つかの方法がある。１つの方法では、個々の毛の群又は房が一端で互いに融解されるか(melted)或いは融合され(fused)、次に、剛毛房は、次に硬化する材料でオーバーモールドして、ブラシヘッドを形成する。別の方法では、一端で融合された剛毛房をブラシネックの穴に挿入し、ネック材料を加熱して剛毛房の周囲で収縮させるか、或いは挿入された剛毛房を備えるブラシネックをオーバーモールドする。しかしながら、これらの現在の製造方法の各々には、製造方法が遅い、複数の工程及び機器を含む、又は許容可能な故障率よりも高い故障率を有するというような、制限及び困難があり、使用中にブラシヘッドから抜け出すことがある緩い剛毛又は剛毛房をもたらす。
特許文献１は、ブラシヘッド構成を開示している。
特許文献２は、ブラシヘッドアセンブリ及び製造方法を開示している。
特許文献３は、ブラシヘッドアセンブリ及び製造方法を開示している。
特許文献４は、ブラシを製造する方法及びデバイスを開示している。
【特許文献１】国際公開第２０１６／１８１２９１Ａ１号
【特許文献２】国際公開第２０１６／１８１２７８Ａ１号
【特許文献３】国際公開第２０１６／１８１３２２Ａ１号
【特許文献４】国際公開第２０１７／００９３５４Ａ１号
【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
ウェアラブルデバイスであって、
ハウジングと、
分析物センサ信号を処理するように構成された電子回路であって、前記ハウジング内に封入されている、電子回路と、
前記ハウジングの外側に位置付けられた遠位部分を有する分析物センサと、
前記分析物センサの近位部分とエレクトロニクスとの両方への電気接続を有する中間本体と、を備え、前記中間本体と前記分析物センサの前記近位部分との間の前記電気接続が、前記ハウジングの外部にある、ウェアラブルデバイス。
【請求項２】
前記中間本体が、前記ハウジングの外面に隣接して位置付けられている、請求項１に記載のデバイス。
【請求項３】
前記エレクトロニクスと前記中間本体との両方に結合された電気接点を備える、請求項１または２に記載のデバイス。
【請求項４】
前記中間本体が、導電性エポキシで前記電気接点に電気的に接続されている、請求項３に記載のデバイス。
【請求項５】
前記中間本体が、異方性導電フィルムで前記電気接点に電気的に接続されている、請求項３に記載のデバイス。
【請求項６】
前記中間本体が封止されている、請求項１から５のいずれか一項に記載のデバイス。
【請求項７】
前記電気接点が、前記ハウジングを通って延在する、請求項３から６のいずれか一項に記載のデバイス。
【請求項８】
前記分析物センサが、被検体への経皮的埋め込みのために構成された遠位部分と、前記中間本体に電気的に接続するために構成された近位部分と、を有する細長い本体として形成されている、請求項１から７のいずれか一項に記載のデバイス。
【請求項９】
前記中間本体が、前記ハウジングの外面上の凹部内に位置付けられている、請求項１から８のいずれか一項に記載のデバイス。
【請求項１０】
電気接点が、前記凹部内の前記ハウジングを通って延在し、前記ハウジング内に封入された前記電子回路に前記中間本体を電気的に結合する、請求項９に記載のデバイス。
【請求項１１】
前記中間本体が、前記凹部内でポリマーで覆われている、請求項９または１０に記載のデバイス。
【請求項１２】
前記分析物センサの前記遠位部分が、前記ハウジングを通って開口部から離れて延在する、請求項１から１１のいずれか一項に記載のデバイス。
【請求項１３】
前記電子回路が、ポテンシオスタットを備える、請求項１から１２のいずれか一項に記載のデバイス。
【請求項１４】
前記電子回路が、無線送信部を備える、請求項１から１３のいずれか一項に記載のデバイス。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
自給式呼吸器のためのサポートアセンブリであって、
ａ．ユーザによって着用されたときにユーザの背部に隣接して位置決められるように構成された背部フレームであって、上部領域及び下部領域を有する、背部フレームと、
ｂ．前記背部フレームの前記下部領域に取り外し可能に取り付けられた腰部パッドと、
ｃ．前記背部フレームを前記腰部パッドに取り外し可能に固定するように配置された第１の細長い固定部材であって、前記腰部パッドが前記背部フレームに対して所定の運動範囲内で移動することを可能にするように構成された第１の細長い固定部材と、を備える、サポートアセンブリ。
【請求項２】
前記第１の細長い固定部材は、前記腰部パッドが前記背部フレームに対して枢動することを可能にするように構成された第１の可撓性ストラップである、請求項１に記載のサポートアセンブリ。
【請求項３】
前記背部フレームを前記腰部パッドに取り外し可能に固定するように構成された第２の細長い可撓性固定部材を更に備える、請求項１に記載のサポートアセンブリ。
【請求項４】
前記第２の細長い可撓性固定部材が、前記背部フレームの長手方向軸線に概ね平行に配置されている、請求項３に記載のサポートアセンブリ。
【請求項５】
前記第２の細長い可撓性固定部材が、第２の可撓性ストラップを備え、第２の可撓性ストラップが、前記第１の可撓性ストラップの接続点の中間の領域において前記腰部パッドに恒久的に固定された第１の端部と、前記背部フレームと係合するために前記腰部パッドから外向きに延びている第２の端部とを有する、請求項３に記載のサポートアセンブリ。
【請求項６】
前記背部フレームが、背もたれ部分及び前記背もたれ部分の下縁部から外向きに延びている角度付き棚部分を含み、それにより前記背もたれ部分と前記角度付き棚部分とが、概ねＬ字型の背部フレームを形成している、請求項５に記載のサポートアセンブリ。
【請求項７】
前記第２の可撓性ストラップの前記第２の端部が、前記背部フレームの前記棚部分に設けられた嵌合スロットとインターロックするように構成された保持デバイスを含む、請求項５に記載のサポートアセンブリ。
【請求項８】
前記背部フレームが、前記棚部分から前記背もたれ部分の上部領域まで延びている補強部材を更に備える、請求項１に記載のサポートアセンブリ。
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
電気穿孔を提供するためのシステムであって、前記システムは、
患者の腎臓領域に配置されるように構成された第１電極および第２電極；
センサ；
前記第１電極、前記第２電極、および前記センサに結合されたパルス発生器；
を備え、
前記パルス発生器は、
コンピュータ実行可能命令を記憶することができるメモリ；
前記メモリに記憶された実行可能命令を実行にするように構成されたプロセッサ；
を備え、
前記命令は、前記プロセッサに、
前記パルス発生器を介して、前記第１電極と前記第２電極との間において前記腎臓領域に対して刺激を引き起こす刺激電流を発生させるステップ；
前記センサを介して、前記刺激電流によって生じる前記患者の血圧の変化を検出するステップ；
前記患者の血圧の前記変化を検出したことに応じて、電気穿孔電流を生成して、前記第１電極と前記第２電極との間において前記腎臓領域に対して可逆または不可逆の電気穿孔を生じさせるステップ；
を実施させる、
システム。
【請求項２】
前記腎臓領域は、腎静脈、腎動脈、または腎盂のうちの少なくとも１つを含む、
請求項1記載のシステム。
【請求項３】
前記命令は、前記患者の血圧の変化が検出されないとき、前記プロセッサに電極構成を変更するステップを実施させる、
請求項１記載のシステム。
【請求項４】
前記電極構成を変更するステップは、
前記第１電極の位置または前記第２電極の位置、
前記第１電極の極性または前記第２電極の極性、
前記刺激電流のパラメータ、
のうち少なくとも１つを変更するステップを有する、
請求項３記載のシステム。
【請求項５】
前記命令は、前記プロセッサにさらに、
前記パルス発生器を介して、第２刺激電流を生成するステップ；
前記センサを介して、前記第２刺激電流に対する生理学的応答を検出するステップ；
を実施させる、
請求項１記載のシステム。
【請求項６】
前記腎臓領域の外側に配置されるように構成された第３電極をさらに備える、
請求項１記載のシステム。
【請求項７】
前記命令は、前記プロセッサにさらに、
前記第１電極と前記第２電極の両方をアノードまたはカソードの一方に変えるステップ；
前記第３電極をアノードまたはカソードの他方に変えるステップ；
前記パルス発生器を介して、第２刺激電流を生成するステップ；
前記センサを介して、前記第２刺激電流に対する第２生理学的応答を検出するステップ；
を実施させる、
請求項６記載のシステム。
【請求項８】
前記命令は、前記第２刺激電流に対する生理学的応答が検出されたことに応じて、前記プロセッサに、第２電気穿孔電流を生成するステップを実施させる、
請求項７記載のシステム。
【請求項９】
前記第１電極と前記第２電極は、前記患者の前記腎臓領域の自律神経組織の近傍に配置されるように構成されている
請求項１記載のシステム。
【請求項１０】
前記第１電極と前記第２電極は、前記患者の下大静脈、下行大動脈、または尿管に隣接する神経にわたって電場を分布させるように構成されている
請求項９記載のシステム。
【請求項１１】
前記電気穿孔電流は、ナノ秒のパルス幅を有するパルスで伝搬されるように構成されている
請求項１記載のシステム。
【請求項１２】
前記生理学的応答は、
心拍数、血圧、経皮インピーダンス、または末梢神経の神経連絡
のうち少なくともいずれかにおける変化である
請求項５記載のシステム。
【請求項１３】
電気穿孔を提供するためのシステムを制御する方法であって、
前記システムは、
患者の腎臓領域に配置されるように構成された第１電極および第２電極；
センサ；
前記第１電極、前記第２電極、および前記センサに結合されたパルス発生器；
を備え、
前記パルス発生器は、プロセッサを備え、
前記方法は、前記プロセッサに、
前記パルス発生器を介して、前記第１電極と前記第２電極との間において前記腎臓領域に対して刺激を引き起こす刺激電流を発生させるステップ；
前記センサを介して、前記刺激電流によって生じる前記患者の血圧の変化を検出するステップ；
前記患者の血圧の前記変化を検出したことに応じて、電気穿孔電流を生成して、前記第１電極と前記第２電極との間において前記腎臓領域に対して可逆または不可逆の電気穿孔を生じさせるステップ；
を実施させる、
方法。
【請求項１４】
前記腎臓領域は、腎静脈、腎動脈、または腎盂のうちの少なくとも１つを含む、
請求項１３記載の方法。
【請求項１５】
前記方法はさらに、前記患者の血圧の変化が検出されないとき、前記プロセッサに電極構成を変更するステップを実施させる、
請求項１３記載の方法。
【請求項１６】
前記電極構成を変更するステップは、
前記第１電極の位置または前記第２電極の位置、
前記第１電極の極性または前記第２電極の極性、
前記刺激電流のパラメータ、
のうち少なくとも１つを変更するステップを有する、
請求項１５記載の方法。
【請求項１７】
前記方法は、前記プロセッサにさらに、
前記パルス発生器を介して、第２刺激電流を生成して前記第１電極と前記第２電極との
間に刺激を発生させるステップ；
前記センサを介して、前記第２刺激電流に対する生理学的応答を検出するステップ；
を実施させる、
請求項１３記載の方法。
【請求項１８】
前記システムはさらに、前記腎臓領域の外側に配置されるように構成された第３電極をさらに備える、
請求項１３記載の方法。
【請求項１９】
前記方法は、前記プロセッサにさらに、
前記第１電極と前記第２電極の両方をアノードまたはカソードの一方に変えるステップ；
前記第３電極をアノードまたはカソードの他方に変えるステップ；
前記パルス発生器を介して、第２刺激電流を生成するステップ；
前記センサを介して、前記第２刺激電流に対する第２生理学的応答を検出するステップ；
を実施させる、
請求項１８記載の方法。
【請求項２０】
前記方法は、前記第２刺激電流に対する生理学的応答が検出されたことに応じて、前記プロセッサに、第２電気穿孔電流を生成するステップを実施させる、
請求項１９記載の方法。
【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
第１の装置又は前記第１の装置とは異なる第２の装置と選択的に通信するように構成された患者インタフェースモジュール（ＰＩＭ）であって、前記第１及び第２の装置が、患者の体と関連付けられた医療データを取得するように構成され、
前記ＰＩＭが、複数の信号をそれぞれ運ぶ第１の複数のピンを有する第１のコネクタを有し、
前記第１の装置が、前記第１のコネクタと係合する第２のコネクタを有し、前記第２のコネクタが、第１のピン構成を有し、前記第２の装置が、前記第１のコネクタと係合する第３のコネクタを有し、前記第３のコネクタが、前記第１のピン構成とは異なる第２のピン構成を有し、
前記第１の複数のピンにより運ばれる前記複数の信号は、前記第２のコネクタが前記第１のコネクタと係合する場合に前記ＰＩＭと前記第１の装置との間で、及び前記第３のコネクタが前記第１のコネクタと係合する場合に前記ＰＩＭと前記第２の装置との間で電気通信を選択的に可能にするように構成され、
前記第２のコネクタが、前記第１のコネクタと係合する場合に、前記第１の複数のピンの第１のサブセットが、オープンであり、
前記第３のコネクタが、前記第１のコネクタと係合する場合に、前記第１の複数のピンの第２のサブセットが、オープンであり、
前記第１のサブセットが、前記第２のサブセットとは異なる、
当該患者インタフェースモジュール、
を有する医療システム。
【請求項２】
前記第２のコネクタが、前記第１のコネクタと係合する場合に、前記複数の信号が、第１の変化を経験し、
前記第３のコネクタが、前記第１のコネクタと係合する場合に、前記複数の信号が、第２の変化を経験し、
前記ＰＩＭが、前記第１の変化を検出し、これにより前記第１の装置を識別するように動作可能であり、
前記ＰＩＭが、前記第２の変化を検出し、これにより前記第２の装置を識別するように動作可能である、
請求項１に記載のシステム。
【請求項３】
前記ＰＩＭが、ピン特有の電流出力及び／又はピン特有のインピーダンスに基づいて前記第１又は第２の装置を識別するように動作可能である、請求項２に記載のシステム。
【請求項４】
前記第１及び第２の装置が、患者の身体内腔内に配置されている間に前記身体内腔と関連付けられた医療データを取得するように構成された腔内装置である、請求項１乃至３のいずれか一項に記載のシステム。
【請求項５】
前記第１の装置及び前記第２の装置を更に有する、請求項１乃至４のいずれか一項に記載のシステム。
【請求項６】
前記第１の装置が、第１のタイプの超音波トランスデューサを有し、前記第２の装置が、第２のタイプの超音波トランスデューサを有し、前記第１のタイプの超音波トランスデューサが、前記第２のタイプの超音波トランスデューサとは異なる、請求項５に記載のシステム。
【請求項７】
前記第１の装置が、第１の中心周波数を持つ超音波トランスデューサを有し、
前記第２の装置が、前記第１の中心周波数とは異なる第２の中心周波数を持つ超音波トランスデューサを有する、
請求項５に記載のシステム。
【請求項８】
前記第１の装置が識別される場合に、前記ＰＩＭが、これ自体及び前記医療システムを、前記第１の装置の特性に基づいて設定するように動作可能であり、
前記第２の装置が識別される場合に、前記ＰＩＭが、これ自体及び前記医療システムを、前記第２の装置の特性に基づいて設定するように動作可能である、
請求項１乃至７のいずれか一項に記載のシステム。
【請求項９】
前記第２のコネクタが、第２の複数のピンを有し、前記第３のコネクタが、第３の複数のピンを有し、
前記第２の複数のピンの少なくとも１つが、第１のデータを記憶する第１の電気的消去可能プログラマブル読取専用メモリ（ＥＥＰＲＯＭ）に接続され、
前記第３の複数のピンの少なくとも１つが、前記第１のデータとは異なる第２のデータを記憶する第２のＥＥＰＲＯＭに接続され、
前記ＰＩＭが、前記第１のデータを読み取り、これにより前記第１の装置を識別するように動作可能であり、
前記ＰＩＭが、前記第２のデータを読み取り、これにより前記第２の装置を識別するように動作可能である、
請求項１乃至８のいずれか一項に記載のシステム。
【請求項１０】
患者インタフェースモジュール（ＰＩＭ）と異なる装置との間で通信を選択的に確立する方法において、前記方法が、
前記ＰＩＭの使用により、第１の装置の第２のコネクタが前記ＰＩＭの第１のコネクタと係合し、前記第１のコネクタのピンの第１のサブセットがオープンである場合に、前記第１のコネクタにより運ばれる信号における第１の変化を検出することにより前記第１の装置を識別するステップと、
前記ＰＩＭの使用により、第２の装置の第３のコネクタが前記ＰＩＭの前記第１のコネクタと係合し、前記第１のコネクタのピンの第２のサブセットがオープンである場合に、前記第１のコネクタにより運ばれる信号における第２の変化を検出することにより前記第２の装置を識別するステップと、
を有し、
前記第１及び第２の装置が、患者の体と関連付けられた医療データを取得するように構成され、
前記第２のコネクタが、第１のピン構成を含み、前記第３のコネクタが、前記第１のピン構成とは異なる第２のピン構成を含む、
方法。
【請求項１１】
前記第１の装置が識別される場合に、前記第１の装置の特性に基づいて前記ＰＩＭを設定するステップと、
前記第２の装置が識別される場合に、前記第２の装置の特性に基づいて前記ＰＩＭを設定するステップと、
を更に有する、請求項１０に記載の方法。
【請求項１２】
前記第１及び第２の変化が、インピーダンスの変化、電流出力の変化、又は前記第１又は第２の装置のメモリに記憶されたデータの読み取りによる変化を有する、請求項１０又は１１に記載の方法。